(57)【要約】　　　（修正有）【課題】低価格で二重構造の１ケのノズルから水流の噴霧だけで、多量のマイナスイオンを発生するノズルを得る。【解決手段】水流を得る蛇口等に直接マイナスイオン発生ノズルを取付け、蛇口栓を開くと、球形ノズル（２）又は市販ノズルに水道の圧力を伴って勢いよく流体導入口（４）を経て導入し、噴出口（５）より噴霧された水滴は掩蔽材（３）の内壁に衝突し、滝効果により多量のマイナスイオンが放出される。放出された水滴や水は開口部（６）より排出される。【選択図】図１
2004034014.tif 000002
【特許請求の範囲】
【請求項１】
流体を噴霧する本人出願（特願２０００−１１４３８３）球形ノズルは目詰まりしないことと、液だれししない特徴を持っており、その外側に微細水滴の発生を促進させる衝突壁をもつ球形状又は風鈴形状などの掩蔽材で囲い、球形ノズルの外側に更に衝突効果を上げる掩蔽材との二重構造を持つノズルを形成している。該掩蔽材は衝突壁に衝突した後の流体を落下するよう下部に任意の開口部を設けたことを特徴とするマイナスイオン発生用ノズル。
【請求項２】
上記流体噴霧ノズルの形状は市販されている流体ノズルでもよく、該ノズルから噴霧される流体を更に衝突させ微細水滴の微細化を図るためノズルの外側に球形状又は風鈴形状などの掩蔽材の内側衝突壁に衝突した後旋回流を起こし、マイナスイオン発生量が飛躍的に向上されることを特徴とするマイナスイオン発生用ノズル。
【発明の詳細な説明】
【発明の属する技術分野】
本発明は流体の噴霧において、如何に多くのマイナスイオンをレナード効果（滝効果）で忠実に再現することにより、微細水滴を基にしたマイナスイオンを含む清浄な空気を作り、真に人々の健康管理に役立てることが出来ることを特徴とするマイナスイオン発生用ノズル。
【従来の技術】
【０００１】
１９０７年にヒリップレナード博士によって発見されたマイナスイオンは滝壷に降りた博士が清涼感に充たされその原因物質を命名したことから始まっているが現在は電気集塵の原理である高電圧放電式等もマイナスイオン発生器等と呼ばれているが似て非なるものである。
【０００２】
滝に起源を発するマイナスイオンが高電圧放電であったり、電気石であること事態が不思議であり、電磁波や静電気或はオゾン等の副次的障害が取り沙汰されるようになり、何のためのマイナスイオンか判らなくなっている。そのため正統な水の微細化によるマイナスイオン発生用ノズルが望まれていた。
【０００３】
平成８年に某電気先端技術総合研究所と農水省果樹研究所の共同研究では高電圧放電式マイナスイオン発生器から発生する５０ｐｐｂのオゾンとマイナスイオン（５×１０４個／ｃｍ３）で冷温高湿庫に貯蔵されていたブドウ等のカビの発生しやすい果実の菌量テストを行い、表１の結果が発表されている。（冷凍−第７３巻第８４３頁）抜粋
2004034014.tif 000003
【０００４】
以上のことからも理解できるように高電圧放電から発生するものはＯ３（オゾン）の一般細菌抑制効果とオゾンでも抑制が難しいといわれているカビが抑制できるのは活性酸素というＯマイナスの作用が確認されており、水の微細化技術によるＯ２マイナスとは全く性質の異なるマイナスイオン発生を行っている。マイナスイオンと云いながら片方はオゾンでも処理できないカビを除去してしまうヒドロキシラジカルの活性酸素であり、水の微細化によるＯ２マイナスイオンの穏やかなリラクゼーション効果が得られるものとは全く性質の異なる物質が生成されていることが報告されている。
【０００５】
水微細化技術によるマイナスイオン発生装置は他にも有ったが、装置が大掛りで、沢山のノズルと水滴発生装置が必要でその水滴発生装置は微細水滴と粗い水滴が混合して発生されている為、次に気水分離器で粗い水滴を送り分ける等、何段階にも選別しなければマイナスイオンを得ることができなかった。
【発明が解決しようとする課題】
【０００６】
本発明は上記のような複雑で、複雑な装置になっていることで高額な商品になるため、一般庶民には高嶺の花になっていた。日々悪化している環境の中で最終の環境問題は唯一選んだ空気を呼吸することだけが出来ないと云われている。この問題を解決するマイナスイオン発生ノズルを提供する。
【問題を解決するための手段】
【０００７】
本発明は上記のレナード法によるマイナスイオン発生方法において、多くのマイナスイオン発生装置は、水の微細化を図るため、微細水滴発生ノズルと該微細水滴を更に微細化する方法として、圧力空気を利用して、水と空気の衝突効果による微細化を行ったので、圧力空気による風切り音を発生し、その遮音手段を組込む等、装置が大型すると共に販売価格の高騰を招く結果になり、購買層が一般大衆から一部高額所得層に偏重されることから、普及型のマイナスイオン発生装置が望まれていた。
【０００８】
上記の問題を解決するためになされた本発明のマイナスイオン発生ノズルは、流体放出先端部において、流体を噴霧するノズルを囲むような掩蔽材を該掩蔽材の下に開口部を持つ球形状又は風鈴形状等の任意の大きさの掩蔽材の内側真横に流体放出ノズルの噴出孔が当るように組み合わされた二重構造のマイナスイオン発生ノズルを提供する。
【０００９】
本発明は本人出願（特願２０００−１１４３８３）球形又は楕円球形噴射ノズルの発明が基で研究を重ねる内に更なる発明が生まれたのであるが、本発明は流体噴射ノズルに拘泥せず、従来技術のノズルにも応用できるものである即ち、ノズル本体の外側に球形又は風鈴のような形の掩蔽材との二重構造のノズルにより、周囲を水浸しにすることなく、例えばトイレットの手洗い等に取付ければ、手洗いの水を放出中は高濃度のマイナスイオンが発生し、臭気も消え、リラクゼーション効果が得られる等を特徴としている。
【００１０】
さらに本発明は水を噴出させるための動力即ちポンプや水を微細化する手段の気体の衝突効果を得るためのブロアー等を使用しないので風切り音等の音の問題もなくなり、装置が簡単なためコストも低廉になる等、大衆普及型のマイナスイオン発生ノズルを提供する。
【発明の実施の形態】
【００１１】
次に本発明のマイナスイオン発生ノズル（１）に係る実施形態を図１〜３を参照して説明する。
図１において本発明のマイナスイオン発生ノズル（１）は流体を噴霧させるための球体ノズル（２）と該ノズルを掩うように設けられた球形又は風鈴状等の掩蔽材（３）からなり、流体導入口（４）から導入された水は球体ノズル（１）の噴出口（５）から噴出し掩蔽材（３）の内壁に勢いよく衝突し、微細水滴と共にマイナスイオンを生成する。
【００１２】
微細水滴と共にマイナスイオンを生成した水は掩蔽材下部に穿った開口部（６）から落下し排出される。図１では本人出願（特願２０００−１１４３８３）の球体ノズル（１）を用いて図解したが、必ずしも球体ノズル（１）に拘泥することなく、マイナスイオン発生量は低下するが、市販のノズル（７）でも同様の効果を上げることが出来る。
【００１３】
本発明のマイナスイオン発生ノズル（１）に使用されるノズル及び風鈴状等の掩蔽材（３）は特別な材質を選ばずプラスチックでも、又金属類等の材質でもよく、ノズルの周囲を囲うように掩われた掩蔽材と一体になっていることを特徴とするマイナスイオン発生ノズルを提供する。
【発明の効果】
以上の記述によって明らかなように流体を微細水滴に噴霧するノズルと該微細水滴が壁に衝突する衝突効果が期待できる掩蔽材によってマイナスイオン発生量を飛躍的に向上することを可能にした液体のみにより気体との衝突を行わない二重構造のマイナスイオン発生のノズルを提供する。
【図面の簡単な説明】
【図１】第一図は本発明に基づくマイナスイオン発生ノズルの構成を示す正面概略図である。
【図２】第２図は本発明に基づくマイナスイオン発生ノズルの構成を示す断面該略図である。
【図３】第３図は水道の蛇口に取付け時の使用時を示す概略図である。
【符号の説明】
１．マイナスイオン発生ノズル
２．球体ノズル
３．掩蔽材
４．流体導入口
５．噴出口
６．開口部
７．市販ノズル
【図１】
2004034014.tif 000004
【図２】
2004034014.tif 000005
【図３】
2004034014.tif 000006